【手続補正書】
【提出日】平成18年2月3日(2006.2.3)
【手続補正１】
【補正対象書類名】明細書
【補正対象項目名】発明の名称
【補正方法】変更
【補正の内容】
【発明の名称】ランプ支持装置、原稿画像読取装置及び画像形成装置
【手続補正２】
【補正対象書類名】明細書
【補正対象項目名】特許請求の範囲
【補正方法】変更
【補正の内容】
【特許請求の範囲】
【請求項１】
ランプの端部が挿入されるランプホルダと、このランプホルダを支える載置面が形成された支持体とを具備し、
前記ランプホルダと前記支持体とには、前記ランプホルダを前記載置面に沿う一方向に摺動させたときに互いに係止し合って前記載置面からの前記ランプホルダの浮きを阻止する浮上阻止係止部と、前記浮上阻止係止部同士を係止させるために前記ランプホルダを一方向に摺動させたときに互いに弾性的に係止し合って前記ランプホルダの他方向の摺動動作を阻止する摺動阻止係止部とが一体に形成され、
前記ランプホルダの前記摺動阻止係止部と前記支持体の前記摺動阻止係止部との一方は両者の係止解除のために弾性的に屈撓自在に形成されているランプ支持装置。
【請求項２】
前記支持体の前記摺動阻止係止部は弾性的に屈撓自在に形成されている請求項１記載のランプ支持装置。
【請求項３】
前記載置面は、前記ランプホルダと対向する位置で前記支持体に形成された凹部の周囲に形成され、前記支持体の前記浮上阻止係止部は、前記凹部の周囲から前記載置面に連続されて前記凹部の内方に突出する係止片により形成され、前記ランプホルダの前記浮上阻止係止部は、前記係止片が挿入される係止溝により形成されている請求項１又は２記載のランプ支持装置。
【請求項４】
前記載置面とは反対側の前記係止片の面に対向する前記係止溝の底面は、その係止溝の奥に向かうに従い次第に前記載置面側に向けて傾斜されている請求項３記載のランプ支持装置。
【請求項５】 
請求項１ないし４の何れか一記載のランプ支持装置と、 
前記ランプを含む光学系を原稿面に対して相対的に走査させる走査手段と、 
を具備する原稿画像読取装置。 
【請求項６】 
請求項５記載の原稿画像読取装置と、 
前記原稿画像読取装置により読み取られた原稿画像に基づいて画像形成を用紙に行う画像形成部と、を具備する画像形成装置。
【手続補正３】
【補正対象書類名】明細書
【補正対象項目名】０００１
【補正方法】変更
【補正の内容】
【０００１】
【発明の属する技術分野】
本発明は、ランプ支持装置、画像を読み取る原稿画像読取装置及び画像形成装置に関する。
【手続補正４】
【補正対象書類名】明細書
【補正対象項目名】０００４
【補正方法】変更
【補正の内容】
【０００４】
本発明の目的は、工具を用いることなくランプホルダを容易に支持することができ、かつ、部品点数の低減を図ることができるランプ支持装置、原稿画像読取装置、画像形成装置を提供することである。
【手続補正５】
【補正対象書類名】明細書
【補正対象項目名】００１３
【補正方法】変更
【補正の内容】
【００１３】
請求項５記載の原稿画像読取装置は、請求項１ないし４の何れか一記載のランプ支持装置と、前記ランプを含む光学系を原稿面に対して相対的に走査させる走査手段と、を具備する。
【手続補正６】
【補正対象書類名】明細書
【補正対象項目名】００１４
【補正方法】変更
【補正の内容】
【００１４】
したがって、工具を用いることなく支持体に対してランプホルダを容易に着脱すること可能となり、かつ、部品点数の低減を図ることが可能な原稿画像読取装置を提供することができる。
【手続補正７】
【補正対象書類名】明細書
【補正対象項目名】００１５
【補正方法】変更
【補正の内容】
【００１５】
請求項６記載の画像形成装置は、請求項５記載の原稿画像読取装置と、前記原稿画像読取装置により読み取られた原稿画像に基づいて画像形成を用紙に行う画像形成部と、を具備する。
【手続補正８】
【補正対象書類名】明細書
【補正対象項目名】００１６
【補正方法】変更
【補正の内容】
【００１６】
したがって、工具を用いることなく支持体に対してランプホルダを容易に着脱すること可能となり、かつ、部品点数の低減を図ることが可能な画像形成装置を提供することができる。
【手続補正９】
【補正対象書類名】明細書
【補正対象項目名】００１７
【補正方法】変更
【補正の内容】
【００１７】
【発明の実施の形態】
本発明の原稿画像読取装置としてのスキャナ装置の一実施の形態を図１ないし図７に基づいて説明する。本実施の形態は、フラットベッドタイプ（原稿固定型）のスキャナ装置への適用例を示す。
【手続補正１０】
【補正対象書類名】明細書
【補正対象項目名】００１９
【補正方法】変更
【補正の内容】
【００１９】
スキャナハウジング３内には、ランプとしてのキセノンランプ（以降、Ｘｅランプという）４及び４５°傾斜の第１ミラー５を搭載する第１キャリッジ６、４５°傾斜で互いの反射面のなす角度が直交して読取り光軸を１８０°反転させる第２，第３ミラー７，８を搭載する第２キャリッジ９が設けられている。第１，第２キャリッジ６，９は、主走査方向（図１において紙面に対する垂直方向）を長手方向として配設され、副走査方向（図１において左右方向）に沿って２：１の速度比で往復動自在に設けられている。原稿画像の読み取りを待機している場合の第１，第２キャリッジ６，９は、図１中左端部位置のホームポジションに位置付けられている。Ｘｅランプ４、第１ミラー５、第２ミラー７、第３ミラー８は原稿面に沿ってスキャン（走査）させる光学系である。
【手続補正１１】
【補正対象書類名】明細書
【補正対象項目名】００３６
【補正方法】変更
【補正の内容】
【００３６】
光学系としてのＸｅランプ４、第１ミラー５、第２ミラー７、第３ミラー８を原稿面に沿ってスキャンさせる走査手段としてのスキャン手段３２は、Ｘｅランプ４と第１ミラー５とが搭載された第１キャリッジ６、第２ミラー７と第３ミラー８とが搭載された第２キャリッジ９、これらのキャリッジ６，９を摺動自在に支持するレール１７、駆動モータ１０により駆動されるタイミングベルト２１及び平ベルト３０、固定部材３１により構成されている。
【手続補正１２】
【補正対象書類名】明細書
【補正対象項目名】００３７
【補正方法】変更
【補正の内容】
【００３７】
このような原稿画像読取装置としてのスキャナ装置１において、原稿画像の読み取りに際しては、駆動モータ１０を駆動して第１，第２キャリッジ６，９を２：１の速度比で往復動させ、Ｘｅランプ４を点灯することで原稿画像を露光走査する。これにより、Ｘｅランプ４から発光された光が、コンタクトガラス２を介して原稿面で反射されて第１ミラー５に到達した後、第２，第３ミラー７，８で順次反射されて、レンズブロック１３を介して、ＣＣＤ１１に集光されて原稿画像の読み取りが行われる。
【手続補正１３】
【補正対象書類名】明細書
【補正対象項目名】００３８
【補正方法】変更
【補正の内容】
【００３８】
次に、本発明の画像形成装置としての複写機の一実施の形態を図８に基づいて説明する。図８は複写機の一実施の形態を概略的を示す縦断側面図である。複写機４０は、上側に配置された前述の実施の形態のような構成のスキャナ装置１と、このスキャナ装置１で読み取った原稿の画像を用紙に形成する画像形成部としてのプリンタ装置４１とを有している。
【手続補正１４】
【補正対象書類名】明細書
【補正対象項目名】００５９
【補正方法】変更
【補正の内容】
【００５９】
請求項５記載の発明によれば、工具を用いることなく支持体に対してランプホルダを容易に着脱すること可能となり、かつ、部品点数の低減を図ることが可能な原稿画像読取装置を提供することができる。
【手続補正１５】
【補正対象書類名】明細書
【補正対象項目名】００６０
【補正方法】変更
【補正の内容】
【００６０】
請求項６記載の発明によれば、工具を用いることなく支持体に対してランプホルダを容易に着脱すること可能となり、かつ、部品点数の低減を図ることが可能な画像形成装置を提供することができる。